(57)【要約】【課題】本発明は、巾木や廻縁となる配線収納部材に配線を収納できるので、配線をまとめることができて乱雑になることを防止できることに加え、カバーユニットが開閉自在なため、配線のメンテナンスや変更・追加作業を容易に行うことが可能な配線収納部材を提供することを目的とする。【解決手段】本発明は、室内側の壁と床との角または壁と天井との角に設けられるベースユニットと、このベースユニットを室内側から覆うカバーユニットとを有し、前記ベースユニットと前記カバーユニットとの間が中空構造となるように接合した配線収納部材において、前記ベースユニットの一方の端部の接合部から、これに対応する前記カバーユニットの接合部を外し、前記ベースユニットの他方の端部の接合部とこれに対応する前記カバーユニットの接合部とは接合を保ったままの状態として、前記カバーユニットが開閉される配線収納部材である。【選択図】  図１
2008075310.tif 000002
【特許請求の範囲】
【請求項１】
壁と床または天井との角に設けられるベースユニットと、
このベースユニットを室内側から覆うカバーユニットとを有し、
前記ベースユニットが両端に接合部を備え、
前記カバーユニットが前記ベースユニットの各接合部に対応する接合部を備え、
これらの接合部同士を接合することにより前記ベースユニットと前記カバーユニットとの間が中空構造となるように接合した配線収納部材において、
前記ベースユニットおよび前記カバーユニットの各接合部が何れも着脱可能であり、
前記ベースユニットの一方の端部の接合部から、これに対応する前記カバーユニットの接合部を外したとき、
前記ベースユニットの他方の端部の接合部とこれに対応する前記カバーユニットの接合部とは接合を保ったまま前記カバーユニットが開閉され、
前記カバーユニットが開いた状態では、前記カバーユニットが壁、床、天井の何れかに接する配線収納部材。
【請求項２】
請求項１において、
ベースユニットとこれを覆うカバーユニットとの間の中空構造が、水平方向の保持部により区分けされた配線収納部材。
【請求項３】
請求項１または請求項２において、
保持部の奥側がベースユニットに固定され、手前側が上方向に向いた爪部を有する配線収納部材。
【請求項４】
請求項１から請求項３の何れかの配線収納部材を巾木または廻縁として用いる配線収納方法。
【発明の詳細な説明】
【技術分野】
【０００１】
本発明は、室内の壁と床との角に設置されて見栄えをよくする配線収納部材に関するものであり、特には家電設備の配線を収納可能とした配線収納部材に関する。
【背景技術】
【０００２】
一般の住宅の室内においては、多様な家電製品の普及に伴い、電源コード等の配線がまとめにくくなり、室内側に飛び出して足に引っかかったり、露出して見栄えの悪い状態となる問題が生じている。また、配線が乱雑になると、清掃し難いことから、清掃も滞るようになるため、埃が溜まり易くなる問題がある。特に、キッチンや洗面化粧台等の住宅機器周りにおいては、電子レンジ、食器洗い洗浄機、浄水装置、その他のさまざまな家電製品が用いられるため、配線の収納が問題となっている。
【０００３】
一方、一般の住宅の室内においては、図９、図１０に示すように、廻縁や巾木が設けられる。そこで、このような問題を改善するため、配線を巾木に収納するというアイディアがあり、配線ダクト収納用の空間を内部に設けた巾木装置が考えられている（特許文献１）。また、壁に固定された巾木止め部材と、内部に配線を収納した巾木部材と、配線が接続される取出し口が設けられた巾木が考案されている（特許文献２）。さらに、巾木本体と巾木の前面カバーとを有し、前面カバーを着脱可能とするとともに、前面カバーに配線を出し入れする開口を設けた巾木が考案されている（特許文献３）。
【特許文献１】実開平２−３４６４２号公報
【特許文献２】特開２０００−２４８７３３号公報
【特許文献３】特開２００１−１９３２７２号公報
【発明の開示】
【発明が解決しようとする課題】
【０００４】
しかしながら、特許文献１の巾木装置では、巾木内に配線ダクトを収納し蓋をする構成であるため、巾木本体以外に、配線ダクト、蓋といった部材を要し、部品点数が多い問題や組立工数がかかる問題がある。また、特許文献２の巾木では、巾木止め部材と巾木部材で構成されているため上記の問題はないが、メンテナンスや配線の変更・追加を行う場合、巾木部材をそっくり取外す必要があり、作業が面倒な問題がある。特許文献３の巾木では、配線を出し入れするのに開口を開ける手間がかかる問題がある。
【０００５】
本発明は、このような課題を解決するためになされたものであり、巾木や廻縁となる配線収納部材に配線を収納できるので、配線をまとめることができて乱雑になることを防止できることに加え、カバーユニットが開閉自在なため、配線のメンテナンスや変更・追加作業を容易に行うことが可能な配線収納部材を提供することを目的とする。
【課題を解決するための手段】
【０００６】
本発明は、以下のものに関する。
（１）  壁と床または天井との角に設けられるベースユニットと、このベースユニットを室内側から覆うカバーユニットとを有し、前記ベースユニットが両端に接合部を備え、前記カバーユニットが前記ベースユニットの各接合部に対応する接合部を備え、これらの接合部同士を接合することにより前記ベースユニットと前記カバーユニットとの間が中空構造となるように接合した配線収納部材において、前記ベースユニットおよび前記カバーユニットの各接合部が何れも着脱可能であり、前記ベースユニットの一方の端部の接合部から、これに対応する前記カバーユニットの接合部を外したとき、前記ベースユニットの他方の端部の接合部とこれに対応する前記カバーユニットの接合部とは接合を保ったまま前記カバーユニットが開閉され、前記カバーユニットが開いた状態では、前記カバーユニットが壁、床、天井の何れかに接する配線収納部材。
（２）  （１）において、ベースユニットとこれを覆うカバーユニットとの間の中空構造が、水平方向の保持部により区分けされた配線収納部材。
（３）  （１）または（２）において、保持部の奥側がベースユニットに固定され、手前側が上方向に向いた爪部を有する配線収納部材。
（４）  （１）から（３）の何れかの配線収納部材を巾木または廻縁として用いる配線収納方法。
【発明の効果】
【０００７】
巾木や廻縁となる配線収納部材に配線を収納できるので、配線をまとめることができて乱雑になることを防止できることに加え、カバーユニットが開閉自在なため、配線のメンテナンスや変更・追加作業を容易に行うことが可能な配線収納部材を提供することができる。
【発明を実施するための最良の形態】
【０００８】
本発明の配線収納部材は、一般住宅の室内において、家電設備を設置する際に必要となる室内配線を収納するために用いるものである。図１から図８に、本発明の配線収納部材１の一例を示す。
【０００９】
図１および図２に示すように、ベースユニット４は、背板６と、接合部８と、保持部１０とを有する。背板６は壁２に接する部分であり、ベースユニット４を壁２に設置するための取付部７が設けられる。取付部７はねじ等によりベースユニット４を壁２に設置するための開口等が設けられる。接合部８はベースユニット４とカバーユニット５とを接合する部分であり、ベースユニット４の両端に設けられる。接合部８の先端には先端部９が設けられ、この先端部９同士が係合することにより、ベースユニット４とカバーユニット５との接合が得られる。保持部１０は配線類１３を収納する際、配線類１３を保持する部分であり、先端には収納した配線類１３を保持部１０内に保持するための爪部１１が設けられる。
【００１０】
図５および図６に示すように、ベースユニット４は、壁２と床３との角、または、壁２と天井１４との角に設けられる。カバーユニット５は、このベースユニット４に取付けられるので、結果的にベースユニット４とカバーユニット５によって構成される配線収納部材１は、壁２と床３との角、または、壁２と天井１４との角に設けられることになる。これにより、配線収納部材１を、一般住宅において居室内に設けられる巾木や廻縁として用いることが可能となり、このように巾木や廻縁と配線収納部材１とが兼用できることにより、省スペースとなり、また、配線をまとめることができて乱雑になることを防止できる。
【００１１】
図３から図６に示すように、カバーユニット５は、前板１５と、上板１６または底板１７と、接合部８とを有する。前板１５は、室内側に面する部分である。接合部８はカバーユニット５とベースユニット４とを接合する部分であり、カバーユニット５の両端に設けられる。上板１６と底板１７は、カバーユニット５の上部または下部を覆う部分である。接合部８の先端には先端部９が設けられ、この先端部９同士が係合することにより、カバーユニット５とベースユニット４との接合が得られる。
【００１２】
図１および図２に示すように、ベースユニット４の両端に設けられた接合部８は、その先端部９が突起状となっており、これに対応するカバーユニット５の接合部８の先端部９も突起状となっていて、これらの先端部９の突起同士を係合することにより接合する構造とする。これにより、ベースユニット４とカバーユニット５は、一度接合しても、突起同士の係合を解除することにより着脱することが可能となっている。ベースユニット４とカバーユニット５とは、接合部８と先端部９とが柔軟性を有するよう、材料や厚み、構造を構成するのが望ましい。また、柔軟性を有する材料としては、加工性、強度、耐久性、見た目等の点から、プラスチックが望ましい。これにより、着脱がより容易になる。
【００１３】
図３および図４に示すように、カバーユニット５の両端に設けられた接合部８は、ベースユニット４の両端の接合部８と対応する位置に設けられる。また、図５に示すように、壁２と天井１４との角に取り付けられる配線収納部材１においては、カバーユニット５の前板１５に設けられた接合部８は、Ｌ字型でその先端部９が突起状になるようにする。一方、図６に示すように、壁２と床３との角に取り付けられる配線収納部材１においては、カバーユニット５の前板５に設けられた接合部８は先端部までが円弧型となるようにする。これにより、図７および図８に示すように、カバーユニット５の上板１６または底板１７に設けられた接合部８のみを外した場合、前板１５に設けられた接合部８はＬ字型または円弧型なので、カバーユニット５を天井１４方向または床３方法に開いても、カバーユニット５が天井１４または床３に接するまで、接合部８の先端部９の突起同士は係合したままの状態を保つことができる。つまり、接合部８のＬ字型の角度（略９０度）または円弧型の角度（略９０度）に対応する垂直方向から天井１４または床３までの開閉においては、先端部９の突起同士の係合は解除されない。このため、ベースユニット４の一方の接合部８とこれに対応するカバーユニット５の接合部８とは係合されたままの状態、即ち接合を保ったまま、カバーユニット５が開閉される。
【００１４】
図７に示すように、カバーユニット５を開閉する際に係合、即ち接合を保った状態となるＬ字型の接合部８は、ベースユニット４が壁２と床３に取付けられた場合、即ち、配線収納部材１が巾木として取り付けられた場合は、床３側の接合部８に対応する方の端部に設けるのが望ましい。これにより、図７に示すように、カバーユニット５が床３側に開閉するため、配線収納部材１の内部を上側から見ることができ、また、カバーユニット５を床３に接するまで開くことが可能となる。このため、配線収納部材１の内部が見え易く、配線類１３を収納したり、取り出したりする作業をやり易くすることができる。
【００１５】
一方、図８に示すように、ベースユニット４が壁２と天井１４に設けられた場合、即ち、配線収納部材１が廻縁として取り付けられた場合は、カバーユニット５を開閉する際に係合、即ち接合を保った状態となる円弧型の接合部８は、天井１４側の接合部８に対応する端部に設けるのが望ましい。これにより、図８に示すように、カバーユニット５が天井１４側に開閉するため、配線収納部材１の内部を下側から見ることができ、また、カバーユニット５を天井１４に接するまで開くことが可能となる。このため、配線収納部材１の内部が見え易く、配線類１３を収納したり、取り出したりする作業をやり易くすることができる。
【００１６】
図４に示すように、ベースユニットとカバーユニットとの間に設けられた中空構造１２は、配線類が収納可能なサイズと容積を備えるものであればよいが、配線類を保持可能な保持部１０によって、水平方向に区分された構造とするのが望ましい。また、保持部１０はベースユニット４の背板６に水平方向に設けられるのが望ましい。これにより、配線類が絡み合うことを抑制し、すっきりと区分けした状態で収納することが可能となる。さらに、保持部１０の先端には爪部１１を設けることにより、保持部１０に収納した配線類１３が、再び飛び出すのを抑制できる。
【実施例１】
【００１７】
本発明の配線収納部材の実施例１を図１、図３、図５、図７に示す。本実施例の配線収納部材は、一般住宅の室内の廻縁として取り付けられ、かつ、家電設備を設置する際に必要となる室内配線を収納するために用いるものである。
【００１８】
図１に示すように、ベースユニット４は、背板６と、接合部８と、保持部１０とを有する。背板６は壁２にベースユニット４をねじで固定するための開口を設けた取付部７を有する。接合部８は、ベースユニット４の両端に設けられ、接合部８はそれぞれ先端部９に突起を有する。保持部１０は、一方が背板６に固定され、他方の端部に爪部１１を有する。
【００１９】
図１に示すように、カバーユニット５は、前板１５と、底板１７と、接合部８とを有する。接合部８はベースユニット４の接合部８と対応するようカバーユニット５の両端に設けられる。接合部８の先端には先端部９が設けられ、この先端部９同士が係合することにより、カバーユニット５とベースユニット４との接合が得られる。この接合は、着脱することが可能となっている。
【００２０】
図１に示すように、ベースユニット４とカバーユニット５は、プラスチックを成型することにより得られ、接合部８と先端部９とが柔軟性を有している。そして、前板１５に設けられた接合部８は、Ｌ字型でその先端部９に突起を有している。一方、底板１７に設けられた接合部８は、Ｌ字型部分を有さず、底板１７の端部が接合部８の先端部９となり、突起が設けられている。
【００２１】
図３および図５に示すように、上記の配線収納部材１を廻縁として用いるためには、まず、ベースユニット４が壁２と天井１４の角にくるように位置決めし、その状態で取付部７をねじ等で固定する。次に、配線類１３を保持部１０上に１組ずつ収納する。このとき、配線類１３は爪部１１よりも内側となるように収納する。そして、ベースユニット４とカバーユニット５の対応する接合部８同士を、先端部９の突起同士を係合させることで接続する。
【００２２】
図７に示すように、配線類１３の入替えが必要になった場合は、底板１７の接合部８付近をつかんで、室内側に引くことで、先端部９の突起同士の係合が解除される。底板１７を持って、カバーユニット５を天井１４側に持ち上げることにより、前板１５の接合部８が接合されたまま、カバーユニット５を天井１４に接触するまで開くことができる。そして、配線収納部材１の内部の不要となった配線類１３を取り出し、新たに必要となった配線類１３を収納する。保持部１０の爪部１１の内側に配線類１３を収納した後、カバーユニット５の底板１７を持って、床３側に押下げることにより、前板１５の接合部８が接合されたまま、カバーユニット５を閉じることができる。
【実施例２】
【００２３】
本発明の配線収納部材の実施例２を図２、図４、図６、図８に示す。本実施例の配線収納部材は、一般住宅の室内の巾木として取り付けられ、かつ、家電設備を設置する際に必要となる室内配線を収納するために用いるものである。
【００２４】
図２に示すように、ベースユニット４は、背板６と、接合部８と、保持部１０とを有する。背板６は壁２にベースユニット４をねじで固定するための開口を設けた取付部７を有する。接合部８は、ベースユニット４の両端に設けられ、接合部８はそれぞれ先端部９に突起を有する。保持部１０は、一方が背板６に固定され、他方の端部に爪部１１を有する。
【００２５】
図２に示すように、カバーユニット５は、前板１５と、上板１６と、接合部８とを有する。接合部８はベースユニット４の接合部８と対応するようカバーユニット５の両端に設けられる。接合部８の先端には先端部９が設けられ、この先端部９同士が係合することにより、カバーユニット５とベースユニット４との接合が得られる。この接合は、着脱することが可能となっている。
【００２６】
図２に示すように、ベースユニット４とカバーユニット５は、プラスチックを成型することにより得られ、接合部８と先端部９とが柔軟性を有している。そして、前板１５に設けられた接合部８は、Ｌ字型でその先端部９に突起を有している。一方、上板１６に設けられた接合部８は、Ｌ字型部分を有さず、上板１６の端部が接合部８の先端部９となり、突起が設けられている。
【００２７】
図６に示すように、カバーユニット５の前板５に設けられた接合部８は先端部までが円弧型となるようにする。これにより、図８に示すように、カバーユニット５の上板１６または底板１７に設けられた接合部８のみを外した場合、前板１５に設けられた接合部８は円弧型なので、カバーユニット５を天井１４方向または床３方法に開いても、カバーユニット５が天井１４または床３に接するまで、接合部８の先端部９の突起同士は係合したままの状態を保つことができる。
【００２８】
図４に示すように、ベースユニット４とカバーユニット５との間に設けられた中空構造１２は、配線類１３が収納可能なサイズと容積を備え、かつ、配線類１３を保持可能な保持部１０によって、水平方向に区分された構造とする。
【００２９】
図４および図６に示すように、上記の配線収納部材１を巾木として用いるためには、まず、ベースユニット４が壁２と床３の角にくるように位置決めし、その状態で取付部７をねじ等で固定する。次に、配線類１３を保持部１０上に１組ずつ収納する。このとき、配線類１３は爪部１１よりも内側となるように収納する。そして、ベースユニット４とカバーユニット５の対応する接合部８同士を、先端部９の突起同士を係合させることで接続する。
【００３０】
図８に示すように、配線類１３の入替えが必要になった場合は、上板１６の接合部８付近をつかんで、室内側に引くことで、先端部９の突起同士の係合が解除される。上板１６を持って、カバーユニット５を床３側に引き下げることにより、前板１５の接合部８が接合されたまま、カバーユニット５を床３に接触するまで開くことができる。そして、配線収納部材１の内部の不要となった配線類１３を取り出し、新たに必要となった配線類１３を収納する。保持部１０の爪部１１の内側に配線類１３を収納した後、カバーユニット５の上板１６を持って、壁２側に押下げることにより、前板１５の接合部８が接合されたまま、カバーユニット５を閉じることができる。
【図面の簡単な説明】
【００３１】
【図１】実施例１の配線収納部材のベースユニットとカバーユニットを接続する前の斜視図である。
【図２】実施例２の配線収納部材のベースユニットとカバーユニットを接続する前の斜視図である。
【図３】実施例１の配線収納部材のベースユニットとカバーユニットを接続した後の斜視図である。
【図４】実施例２の配線収納部材のベースユニットとカバーユニットを接続した後の斜視図である。
【図５】実施例１の配線収納部材のカバーユニットを閉じた状態の断面図である。
【図６】実施例２の配線収納部材のカバーユニットを閉じた状態の断面図である。
【図７】実施例１の配線収納部材のカバーユニットを開いた状態の断面図である。
【図８】実施例２の配線収納部材のカバーユニットを開いた状態の断面図である。
【図９】従来の廻縁の断面図である。
【図１０】従来に巾木の断面図である。
【符号の説明】
【００３２】
１  …  配線収納部材、    ２  …  壁、    ３  …  床、    ４  …  ベースユニット、    ５  …  カバーユニット、    ６  …  背板、    ７  …  取付部、    ８  …  接合部、    ９  …  先端部、  １０  …  保持部、  １１  …  爪部、  １２  …  中空構造、  １３  …  配線類、
１４  …  天井、  １５  …  前板、  １６  …  上板、  １７  …  底板、  １８  …  廻縁、  １９  …  巾木、
【図１】
2008075310.tif 000003
【図２】
2008075310.tif 000004
【図３】
2008075310.tif 000005
【図４】
2008075310.tif 000006
【図５】
2008075310.tif 000007
【図６】
2008075310.tif 000008
【図７】
2008075310.tif 000009
【図８】
2008075310.tif 000010
【図９】
2008075310.tif 000011
【図１０】
2008075310.tif 000012